(57)【要約】【課題】  従来の装置においては、ユーザが新たに製品を導入するたびに、氏名や住所等を入力する必要があり、結果的に同じ情報を何度も入力しなければならないという煩わしさがあった。また、同じ操作を何度も繰り返すことから誤入力の原因にもなっていた。【解決手段】  既にユーザ登録を済ませているネットワーク上の他の装置からユーザ登録情報を取得し、取得したユーザ登録情報を自装置のユーザ登録情報として、センター側コンピュータに送信する。【選択図】        図４
2005228211.tif 000002
【特許請求の範囲】
【請求項１】
ネットワークに接続可能な情報処理装置において、
ユーザ登録情報を送信するユーザ登録情報送信手段と、
既にユーザ登録を済ませているネットワーク上の他の装置からユーザ登録情報を取得するユーザ登録情報取得手段とを有し、
前記ユーザ登録情報送信手段は、前記ユーザ登録情報取得手段によって取得したユーザ登録情報を自装置のユーザ登録情報として、センター側コンピュータに送信することを特徴とする情報処理装置。
【請求項２】
請求項１において、
前記ユーザ登録情報取得手段が取得したユーザ登録情報を表示部に表示し、前記ユーザ登録情報の内容をオペレータが変更することが可能なユーザ登録情報編集手段を有し、
前記ユーザ登録情報送信手段は、前記ユーザ登録情報取得手段によって取得したユーザ登録情報が前記ユーザ登録情報編集手段によって編集された後、編集後のユーザ登録情報を自装置のユーザ登録情報として、センター側コンピュータに送信することを特徴とする情報処理装置。
【請求項３】
請求項２において、
ユーザ登録情報が変更されたことをネットワーク上の他の装置に通知する変更通知手段を有し、
前記変更通知手段は、前記ユーザ登録情報編集手段によってユーザ登録情報が変更された場合に、ネットワーク上の他の装置に装置に対しユーザ登録情報が変更されたことを通知することを特徴とする情報処理装置。
【請求項４】
請求項３において、
自装置のユーザ登録情報を格納するユーザ登録情報記憶手段と、
前記ユーザ登録情報取得手段によってユーザ登録情報を取得する際に取得元を記憶する取得元記憶手段を有し、
前記変更通知手段は、前記ユーザ登録情報編集手段によってユーザ登録情報が変更された場合に、前記取得元記憶手段に記憶された取得元の装置に対しユーザ登録情報が変更されたことを通知し、
前記ユーザ登録情報送信手段は、前記ユーザ登録情報編集手段によってユーザ登録情報が変更された場合に、前記取得元記憶手段に記憶された取得元の装置に対し前記ユーザ登録情報記憶手段に格納されたユーザ登録情報を送信することを特徴とする情報処理装置。
【請求項５】
請求項４において、
ネットワーク上の他の装置から送られてくるユーザ登録情報の変更通知を受信する変更通知受信手段とを有し、
前記変更通知受信手段がネットワーク上の他の装置から変更通知を受信し、かつ、前記ユーザ登録情報取得手段が前記装置からユーザ登録情報を取得した場合には、前記ユーザ登録情報記憶手段は前記ユーザ登録情報取得手段が取得した前記ユーザ登録情報を新たに格納し、前記ユーザ登録情報送信手段は前記ユーザ登録情報取得手段が取得した前記ユーザ登録情報を自装置のユーザ登録情報としてセンター側コンピュータに送信することを特徴とする情報処理装置。
【請求項６】
請求項１において、
自装置のユーザ登録情報を格納するユーザ登録情報記憶手段と、
ネットワーク上の他の装置からユーザ登録情報の送信要求があったことを検出する送信要求検出手段と、
前記送信要求検出手段によって送信要求があったことが検出された場合に、送信要求の要求元を記憶する要求元記憶手段を有し、
前記送信要求検出手段によって送信要求があったことが検出された場合に、前記ユーザ登録情報送信手段は、前記要求元記憶手段に記憶された要求元の装置に対し、前記ユーザ登録情報記憶手段に格納されたユーザ登録情報を送信することを特徴とする情報処理装置。
【請求項７】
請求項６において、
前記ユーザ登録情報記憶手段にユーザ登録情報が格納されていないときには、前記送信要求検出手段によって送信要求があったことが検出された場合に、前記ユーザ登録情報送信手段は、前記要求元記憶手段に記憶された要求元の装置に対し、ユーザ登録情報が存在しない旨を通知することを特徴とする情報処理装置。
【請求項８】
請求項６において、
前記送信要求検出手段は、送信要求とともに送られてくるＩＤを検出可能な手段であって、
前記ユーザ登録情報送信手段は、前記送信要求検出手段が検出したＩＤが自装置のＩＤと一致した場合に、前記ユーザ登録情報記憶手段に格納されたユーザ登録情報を送信することを特徴とする情報処理装置。
【請求項９】
請求項１ないし請求項８いずれかにおいて、
前記ユーザ登録情報送信手段が送信するユーザ登録情報は、ＸＭＬ形式のデータであることを特徴とする情報処理装置。
【発明の詳細な説明】
【技術分野】
【０００１】
本発明は、ネットワークに接続可能な情報処理装置に関する。
【背景技術】
【０００２】
従来、ネットワークに接続可能な情報処理装置においては、販売者または製造者等が製品のユーザを管理するためのユーザ登録情報を、装置からネットワークを経由してセンター側に送信する機能が備わっているものがあった（特許文献１参照）。このような装置においては、ユーザ登録情報として、オペレータが、氏名、住所、電話番号、電子メールアドレス等を装置の操作パネルから入力した後、その情報を顧客管理用のセンター側コンピュータに送信するという方法が採られていた。センター側コンピュータにおいては、これらの情報をデータベース管理することにより、顧客管理やユーザサポート等に利用していた。
【特許文献１】特開２０００−１４８８５３号公報
【発明の開示】
【発明が解決しようとする課題】
【０００３】
しかしながら、従来の装置においては、ユーザが新たに製品を導入するたびに、氏名や住所等を入力する必要があり、結果的に同じ情報を何度も入力しなければならないという煩わしさがあった。また、同じ操作を何度も繰り返すことから誤入力の原因にもなっていた。さらに、ユーザの電話番号等が変更になったときなど、ユーザ登録情報の変更の必要が生じた場合には、再度入力し直さなければならない煩わしさがあった。また、そのような場合にユーザ登録情報を正確な状態に保つためには、ユーザが過去に登録した装置の情報を把握しておく必要があり、現実的にはそのような煩わしさから、古いユーザ情報のまま放置されている場合があった。
【０００４】
本発明は、上述の課題に鑑みてなされたもので、ユーザが複数の製品を導入した場合等に、同じユーザ登録情報を何度も入力しなければならない煩わしさを排除し、また、複数の装置において同じユーザ登録情報を維持することが可能な装置を提供することを目的とする。
【課題を解決するための手段】
【０００５】
上記の目的を達成するために、本発明の請求項１記載の情報処理装置は、ネットワークに接続可能な情報処理装置において、ユーザ登録情報を送信するユーザ登録情報送信手段と、既にユーザ登録を済ませているネットワーク上の他の装置からユーザ登録情報を取得するユーザ登録情報取得手段とを有し、前記ユーザ登録情報送信手段は、前記ユーザ登録情報取得手段によって取得したユーザ登録情報を自装置のユーザ登録情報として、センター側コンピュータに送信することを特徴とする。
【０００６】
本発明の請求項２記載の情報処理装置は、請求項１において、前記ユーザ登録情報取得手段が取得したユーザ登録情報を表示部に表示し、前記ユーザ登録情報の内容をオペレータが変更することが可能なユーザ登録情報編集手段を有し、前記ユーザ登録情報送信手段は、前記ユーザ登録情報取得手段によって取得したユーザ登録情報が前記ユーザ登録情報編集手段によって編集された後、編集後のユーザ登録情報を自装置のユーザ登録情報として、センター側コンピュータに送信することを特徴とする。
【０００７】
本発明の請求項３記載の情報処理装置は、請求項２において、ユーザ登録情報が変更されたことをネットワーク上の他の装置に通知する変更通知手段を有し、前記変更通知手段は、前記ユーザ登録情報編集手段によってユーザ登録情報が変更された場合に、ネットワーク上の他の装置に装置に対しユーザ登録情報が変更されたことを通知することを特徴とする。
【０００８】
本発明の請求項４記載の情報処理装置は、請求項３において、自装置のユーザ登録情報を格納するユーザ登録情報記憶手段と、前記ユーザ登録情報取得手段によってユーザ登録情報を取得する際に取得元を記憶する取得元記憶手段を有し、前記変更通知手段は、前記ユーザ登録情報編集手段によってユーザ登録情報が変更された場合に、前記取得元記憶手段に記憶された取得元の装置に対しユーザ登録情報が変更されたことを通知し、前記ユーザ登録情報送信手段は、前記ユーザ登録情報編集手段によってユーザ登録情報が変更された場合に、前記取得元記憶手段に記憶された取得元の装置に対し前記ユーザ登録情報記憶手段に格納されたユーザ登録情報を送信することを特徴とする。
【０００９】
本発明の請求項５記載の情報処理装置は、請求項４において、ネットワーク上の他の装置から送られてくるユーザ登録情報の変更通知を受信する変更通知受信手段とを有し、前記変更通知受信手段がネットワーク上の他の装置から変更通知を受信し、かつ、前記ユーザ登録情報取得手段が前記装置からユーザ登録情報を取得した場合には、前記ユーザ登録情報記憶手段は前記ユーザ登録情報取得手段が取得した前記ユーザ登録情報を新たに格納し、前記ユーザ登録情報送信手段は前記ユーザ登録情報取得手段が取得した前記ユーザ登録情報を自装置のユーザ登録情報としてセンター側コンピュータに送信することを特徴とする。
【００１０】
本発明の請求項６記載の情報処理装置は、請求項１において、自装置のユーザ登録情報を格納するユーザ登録情報記憶手段と、ネットワーク上の他の装置からユーザ登録情報の送信要求があったことを検出する送信要求検出手段と、前記送信要求検出手段によって送信要求があったことが検出された場合に、送信要求の要求元を記憶する要求元記憶手段を有し、前記送信要求検出手段によって送信要求があったことが検出された場合に、前記ユーザ登録情報送信手段は、前記要求元記憶手段に記憶された要求元の装置に対し、前記ユーザ登録情報記憶手段に格納されたユーザ登録情報を送信することを特徴とする。
【００１１】
本発明の請求項７記載の情報処理装置は、請求項６において、前記ユーザ登録情報記憶手段にユーザ登録情報が格納されていないときには、前記送信要求検出手段によって送信要求があったことが検出された場合に、前記ユーザ登録情報送信手段は、前記要求元記憶手段に記憶された要求元の装置に対し、ユーザ登録情報が存在しない旨を通知することを特徴とする。
【００１２】
本発明の請求項８記載の情報処理装置は、請求項６において、前記送信要求検出手段は、送信要求とともに送られてくるＩＤを検出可能な手段であって、前記ユーザ登録情報送信手段は、前記送信要求検出手段が検出したＩＤが自装置のＩＤと一致した場合に、前記ユーザ登録情報記憶手段に格納されたユーザ登録情報を送信することを特徴とする。
【００１３】
本発明の請求項９記載の情報処理装置は、請求項１ないし請求項８いずれかにおいて、前記ユーザ登録情報送信手段が送信するユーザ登録情報は、ＸＭＬ形式のデータであることを特徴とする。
【発明の効果】
【００１４】
本発明によれば、ユーザが複数の製品を導入した場合等に、同じユーザ登録情報を何度も入力しなければならない煩わしさを排除することが可能となる。また、ユーザ登録情報の内容が変更された場合に、ネットワーク上の他の装置にもその変更内容を容易にかつ正確に反映させることが可能になり利便性が増す。また、ユーザ登録情報を管理するセンター側のコンピュータの情報も最新に保たれるようになり、顧客情報等を管理する側においても利便性が増す。
【発明を実施するための最良の形態】
【００１５】
以下本発明を実施するための最良の形態を、実施例により詳しく説明する。
【実施例】
【００１６】
以下、図面を参照して、本発明における情報処理装置の実施例を説明する。
【００１７】
図１は本発明の実施例に係る装置を含むシステムの概要を示した構成図である。
【００１８】
同図において、管理センターのコンピュータ１０１は、ルータ１０２を介してインターネット１０３に接続されている。コンピュータ１０１では、装置から送られてきたユーザ登録情報をデータベースに保存し、顧客管理に使用している。インターネット１０３は、ルータ１０４を介してＬＡＮ１０５と接続されている。ＬＡＮ１０５には、大型複写機１０６、小型複写機１０７、ファクシミリ装置１０８、プリンタ１０９、電話機１１０がそれぞれ接続されている。１０６〜１１０はいずれも本発明に係る情報処理装置である。
【００１９】
図２は本発明の実施例に係る情報処理装置の構成の一部を示すブロック図である。
【００２０】
同図において、ＣＰＵ２０１は、システム制御部であり、装置全体を制御する。ＲＯＭ２０２は、ＣＰＵの制御プログラムを格納するものである。ＲＡＭ２０３は、ＳＲＡＭ、ＤＲＡＭ等で構成され、プログラム制御変数等を格納するためのものである。また、オペレータが登録した各種設定パラメータ、各種ワーク用バッファもＲＡＭ２０３に格納されるものである。本実施例においては、ユーザ登録情報等もＲＡＭ２０３に格納される。操作パネル２０４は、キーボード、タッチパネル等で構成され、オペレータが各種入力操作を行うためのものである。外部表示部２０５は、ＬＣＤ、ＬＥＤ等でオペレータに表示通知するためのものである。ＬＡＮ  ｉ／ｆ２０６は、ＬＡＮ２０７に接続するためのインターフェイスである。図２に示した構成は、本発明の実施例に係る情報処理装置の一部を示したものであり、装置によっては、この他、スキャナ部、プリンタ部、モデム、スピーカなどが装置の構成に加わる場合がある。また、ソフトウェア等で本発明を実現する場合等には、図２の各ブロックを必ずしも装置内に持っていなくても良い。
【００２１】
図３は大型複写機１０６のＲＡＭ２０３に格納されたユーザ登録情報の内容を示した表である。同図に示したとおり、大型複写機１０６には、ユーザ登録情報の項目として、「氏名」、「ふりがな」、「郵便番号」、「住所」、「電話番号」、「ファクス番号」、「生年月日」、「電子メールアドレス」の各項目があり、それぞれ、「鈴木一郎」、「すずきいちろう」、「１２３−４５６７」、「東京都千代田区○○１−２−３」、「０３−００００−００００」、「０３−００００−０００１」、「１９７５／０１／０１」、「ｎａｍｅ＠ｄｏｍａｉｎ」が登録されている。ファクシミリ装置１０８、プリンタ１０９、電話機１１０にも同じ内容のユーザ登録情報が、それぞれのＲＡＭ２０３にすでに格納されている。小型複写機１０７においては、まだユーザ登録を行っていないため、ユーザ登録情報が格納されていない。
【００２２】
本実施例では、ユーザ登録を行っていない小型複写機１０７におけるユーザ登録時の動作と、大型複写機１０６の動作を中心に本発明に係る装置の動作を説明する。
【００２３】
図４は、小型複写機１０７の動作を示すフローチャートである。以下、図４のフローチャートに沿って小型複写機１０７の動作を説明する。
【００２４】
小型複写機１０７において、オペレータがユーザ登録のための操作を開始した場合、まず、ユーザ登録情報の送信要求とＩＤを送信する（Ｓ４０１）。図４には記載していないが、ＬＡＮ１０５上に複数の装置が存在する場合には、所定の選択方法で１つの装置を選択し、その装置にユーザ登録情報の送信要求とＩＤを送信する。もし、その装置から応答がなかったり、ユーザ登録情報が存在しないという旨の応答があった場合には、所定の選択方法で別の装置を選択し、Ｓ４０１の動作を行う。ここでは、大型複写機１０６にユーザ登録情報の送信要求とＩＤを送信したものとする。
【００２５】
なお、本実施例では、ＩＤとして氏名の文字列を使用する。小型複写機１０７においては、図４の処理の前に、オペレータによってユーザの氏名が装置内に格納されている。ここではＩＤとして氏名の文字列を使用するが、氏名ではなく、電話番号や電子メールアドレス、生年月日等を使用しても良い。また、ユーザを特定するための任意の文字列やパスワードを使用したり、これらを複数組み合わせて使用したりしても良い。このＩＤはユーザ登録情報が不用意に流出するのを防ぐため、あるいは、ユーザが異なる装置のユーザ登録情報を誤って登録することを防止するために、装置間で認証を行う目的で設けているものである。
【００２６】
Ｓ４０１の後、装置はユーザ登録情報を受信したかどうかを判断する（Ｓ４０２）。ここで、ユーザ登録情報を受信していないと判断されれば、送信要求を送信してから所定時間が経過したかどうかを判断する（Ｓ４０３）。Ｓ４０３で所定時間が経過していないと判断されれば、Ｓ４０２の処理を再び行う。Ｓ４０３で所定時間が経過したと判断されれば、ユーザ登録の処理を行わずに終了する。すなわち、ユーザ登録情報の送信要求を送信後、所定時間、ユーザ登録情報の受信を監視することになる。なお、本実施例では、ユーザ登録情報をＬＡＮ１０５上の装置間で送受する際、および、センター側コンピュータ１０１に送信する際には、そのデータ形式としてＸＭＬを用いている。
【００２７】
Ｓ４０２において、ユーザ登録情報を受信したと判断されれば、受信したユーザ登録情報の内容を外部表示部２０５に表示し（Ｓ４０４）、オペレータに対し、ユーザ登録を行って良いか、変更の必要はないかの判断を促す表示を行う。ここで、オペレータはユーザ登録情報の内容を確認し、必要に応じて内容の変更を行うことができる。Ｓ４０４の後で、オペレータによってユーザ登録情報の送信操作がなされたかどうかを判断する（Ｓ４０５）。ここで、ユーザ登録情報の送信操作がなされていないと判断されれば、ユーザ登録情報の表示を行ってから所定時間が経過したかどうかを判断する（Ｓ４０６）。Ｓ４０６で所定時間が経過していないと判断されればＳ４０５の処理を再び行う。Ｓ４０６で所定時間が経過したと判断されれば、ユーザ登録の処理を行わずに終了する。すなわち、ユーザ登録情報を表示後、操作がなされないまま所定時間が経過した場合には、ユーザ登録を行わずに処理を終了することになる。
【００２８】
Ｓ４０５において、ユーザ登録の送信操作がなされたと判断されれば、そのユーザ登録情報を、管理センターのコンピュータ１０１に送信する。Ｓ４０４で表示したユーザ登録情報の内容がオペレータによって変更されている場合には、変更後のデータをコンピュータ１０１に送信することになる。Ｓ４０７の処理の後、ユーザ登録情報がオペレータによって変更されたかどうかを判断する（Ｓ４０８）。Ｓ４０８で、ユーザ登録情報が変更されていないと判断されれば、図４のフローチャートに示した処理を終了する。
【００２９】
Ｓ４０８で、ユーザ登録情報が変更されたと判断されれば、変更通知とともに変更後のユーザ登録情報を、ユーザ登録情報の取得元すなわち大型複写機１０６に送信し（Ｓ４０９）、図４のフローチャートに示した処理を終了する。
【００３０】
上記の処理により、小型複写機１０７は、大型複写機１０６から取得したユーザ登録情報をそのまま自機のユーザ登録情報としてセンターのコンピュータ１０１に送ることが可能になる。また、必要に応じて、大型複写機１０６から取得したユーザ登録情報の一部または全部を変更したものを、自機のユーザ登録情報としてセンターのコンピュータ１０１に送ることが可能になる。さらに、大型複写機１０６から取得したユーザ登録情報を変更した場合に、その内容を大型複写機１０６に通知することが可能となる。
【００３１】
次に、ユーザ登録情報の送信要求を受信した側、すなわち大型複写機１０６の動作を、図５のフローチャートに沿って説明する。
【００３２】
図５には記載していないが、大型複写機１０６においては、ユーザ登録情報の送信要求がネットワーク上の他の装置から受信したかどうかを常時監視している。大型複写機１０６が、ユーザ登録情報の送信要求とＩＤを受信したかどうかの判断を行ったとき（Ｓ５０１）、送信要求とＩＤを受信していないと判断されれば、ユーザ登録情報の送信は行わずに処理を終了する。Ｓ５０１で送信要求とＩＤを受信したと判断されれば、受信したＩＤは自機のＩＤと一致しているかどうかを判断する（Ｓ５０２）。ここで、自機のＩＤと一致していないと判断されれば、ユーザ登録情報の送信は行わずに処理を終了する。Ｓ５０２で受信したＩＤと自機のＩＤが一致していると判断された場合には、自機がユーザ登録情報をＲＡＭ２０３に格納してあるかどうかを判断する（Ｓ５０３）。Ｓ５０３でユーザ登録情報を格納していると判断されれば、そのユーザ登録情報を、送信要求元に送信する（Ｓ５０４）。Ｓ５０３でユーザ登録情報を格納していないと判断されれば、ユーザ登録情報がない旨を、送信要求元に通知する（Ｓ５０５）。
【００３３】
上記の処理により、ユーザ登録情報の送信要求があった場合に、要求元にユーザ登録情報を送信することが可能となる。
【００３４】
続いて、小型複写機１０７においてオペレータによってユーザ登録情報が変更された場合の、大型複写機１０６の動作を図６のフローチャートに沿って説明する。
【００３５】
図４に示したとおり、小型複写機１０７においてユーザ登録情報が変更された場合には、変更通知と変更後のユーザ登録情報が送信される（Ｓ４０９）。図６には記載していないが、大型複写機１０６においては、ユーザ登録情報の変更通知をネットワーク上の他の装置から受信したかどうかを常時監視している。大型複写機１０６が、ユーザ登録情報の変更通知とユーザ登録情報を受信したかどうかの判断を行ったとき（Ｓ６０１）、変更通知とユーザ登録情報を受信していないと判断されれば、ユーザ登録情報の更新は行わずに図６の処理を終了する。Ｓ６０１において変更通知とユーザ登録情報を受信したと判断されれば、受信したユーザ登録情報に含まれるＩＤが自機のＩＤと一致するかどうかを判断する（Ｓ６０２）。ここで、ＩＤが一致しないと判断されれば、ユーザ登録情報の更新は行わずに図６の処理を終了する。Ｓ６０２において、受信したユーザ登録情報に含まれるＩＤが自機のＩＤと一致すると判断された場合には、受信したユーザ登録情報を自機のユーザ登録情報として新たにＲＡＭ２０３に格納するとともに、センターのコンピュータ１０１に送信し（Ｓ６０３）、図６の処理を終了する。このときセンター側では、大型複写機１０６のユーザ登録情報に変更があったものと判断し、コンピュータ１０１内のデータベースの情報を変更することになる。
【００３６】
上記の処理により、ネットワーク上の他の装置においてユーザ登録情報が変更された場合に、その変更内容が自機のユーザ登録情報にも反映することになり、顧客管理等を行うセンター側コンピュータ１０１内のデータベースの情報が古いまま放置されてしまうことを防ぐことができる。
【００３７】
図４のフローチャートにおいては、ユーザ登録情報の変更があった場合に、変更通知と変更後のユーザ登録情報を取得元に送信する（Ｓ４０９）としたが、変更通知を取得元だけでなく、ネットワーク上の他の装置にも送信するようにすれば、ネットワーク上の他の装置に関してもユーザ登録情報を同様に変更することが可能になる。
【００３８】
本実施例では、機器間で送受するデータ形式としてＸＭＬ形式を使用している。これは、ＸＭＬを使用することによりデータが扱い易くなり、また、汎用性も増すという利点があるためだが、本発明は、各種テキストファイルやバイナリデータの送受によって実現しても良い。また、本実施例においてはネットワーク上の装置に関して説明したが、ネットワーク上の装置にインストールされたソフトウェアや、装置に接続されたビデオカードやモデムカード等の付属機器についても一つのネットワーク上の装置とみなすことができ、これらが互いにユーザ登録情報の送受を行って本実施例と同様の処理を行う場合にも、本発明は適用し得るものである。
【００３９】
なお、以上のような動作はＣＰＵ２０１がＲＯＭ２０２やＲＡＭ２０３に記憶したプログラムに基づいて実行するものであるが、本発明は、このようなプログラムをフロッピー（Ｒ）ディスクやハードディスク、ＣＤ−ＲＯＭ、ＤＶＤ−ＲＯＭ、メモリカード等の各種記憶媒体に格納し、これを専用のデータ読取装置によって、コンピュータ等の情報処理装置に取り込み、ＣＰＵ２０１で実行するようにしてもよい。
【００４０】
また、以上の実施例では、主に複写機を例に説明したが、本発明はこれに限らず、例えばファクシミリ装置、プリンタ、スキャナ、モニター、各種通信装置などの電子装置、あるいは、コンピュータ等の情報処理装置における装置制御においても、同様に適用し得るものである。
【図面の簡単な説明】
【００４１】
【図１】本発明の実施例による情報処理装置で構成されたネットワークの構造を示す模式図である。
【図２】本発明の実施例による情報処理装置の構成の一部を示すブロック図である。
【図３】上記実施例による大型複写機１０６におけるユーザ登録情報の項目名と登録内容を示す模式図である。
【図４】上記実施例による小型複写機１０７の動作を示すフローチャートである。
【図５】上記実施例による大型複写機１０６の動作を示すフローチャートである。
【図６】上記実施例による大型複写機１０６の動作を示すフローチャートである。
【符号の説明】
【００４２】
１０１  管理センターのコンピュータ
１０２  ルータ
１０３  インターネット
１０４  ルータ
１０５  ＬＡＮ
１０６  大型複写機
１０７  小型複写機
１０８  ファクシミリ装置
１０９  プリンタ
１１０  電話機
２０１  ＣＰＵ
２０２  ＲＯＭ
２０３  ＲＡＭ
２０４  操作パネル
２０５  外部表示部
２０６  ＬＡＮ  ｉ／ｆ
２０７  ＬＡＮ
【図１】
2005228211.tif 000003
【図２】
2005228211.tif 000004
【図３】
2005228211.tif 000005
【図４】
2005228211.tif 000006
【図５】
2005228211.tif 000007
【図６】
2005228211.tif 000008